(57)【特許請求の範囲】
【請求項１】
収納箱を備えた仏壇であって、箱本体内に三具足等の仏具類を載置し得る檀座を前後方向にスライド可能に配置し、かつ前記檀座をスライド可能とするために箱本体の左右両側部の内側に溝部またはこれに嵌り合う突条部のいずれか一方を設け、檀座の両側部には前記溝部または突条部のいずれか一方を除く他方を設けて箱本体に対して檀座が前後に移動案内されるようにし、さらに御本尊を表したものその他礼拝の対象となるものを内側に配置し得るようにした蓋部材を蝶番を介して檀座の後端部に開閉可能に取付け、蓋部材の後端部が箱本体の左右両側部の上面部に接するように蓋部材を直立させたとき檀座は任意位置に静止し得るようにし、蓋部材を閉じ蓋部材の前端部を箱本体の前端部に揃えたとき檀座の後端部と蓋部材の後端部とが揃うようにした仏壇。
【請求項２】
請求項１記載の仏壇において、檀座の前端部と箱本体の前端部内側との空間部に三具足、御鈴、鈴台フトン、鈴打ち棒その他の仏具類を収納し得るようにし、あるいは檀座の内側に空間部を設けて三具足等の仏具類を収納可能とし、あるいは箱本体の左右両側部内側もしくは檀座の外側部に設けられた溝部に移動可能に嵌り合う突条部に代えて突部を設けるようにした仏具。
【請求項３】
請求項１もしくは請求項２記載の仏壇において、檀座をその奥行方向の幅の約半分以上前方に移動させたとき前記溝部と突条部との係合が外れ、箱本体から檀座を取り外し得るようにした仏壇。
【発明の詳細な説明】
【０００１】
【発明の属する技術分野】
本発明は収納箱を備えた仏壇に関するものであり、特に檀座を箱本体内で前後にスライド可能とし、檀座に取付けた蓋部材を開き直立させたとき檀座は静止し、三具足等の仏具を載置することによって祀ることができるようにした仏壇に関するものである。
本発明の仏壇は、例えば自由に持ち運びして祀ることができる仏壇に適用すれば特に好都合である。
【０００２】
【従来の技術】
従来より収納箱を備えた仏壇は、箱本体に蓋部材を蝶番等で開閉可能に取り付けるのが通例である。
【０００３】
【発明が解決しようとする課題】
ところが、このような仏壇は、使用時には開いた蓋部材を閉じないように保持するようにしなければならないので、構造が複雑で使用が繁雑であるという問題点があった。
本発明はこのような事情を背景としてなされたものであり、本発明の目的は、構造が簡単で使用が容易な収納箱を備えた仏壇を提供することである。
【０００４】
【課題を解決するための手段】
このような目的を達成するためになされた本発明は、次のように構成される。Ａ  収納箱を備えた仏壇であって、箱本体内に三具足等の仏具類を載置し得る檀座を前後方向にスライド可能に配置し、かつ前記檀座をスライド可能とするために箱本体の左右両側部の内側に溝部またはこれに嵌り合う突条部のいずれか一方を設け、檀座の両側部には前記溝部または突条部のいずれか一方を除く他方を設けて箱本体に対して檀座が前後に移動案内されるようにし、さらに御本尊を表したものその他礼拝の対象となるものを内側に配置し得るようにした蓋部材を蝶番を介して檀座の後端部に開閉可能に取付け、蓋部材の後端部が箱本体の左右両側部の上面部に接するように蓋部材を直立させたとき檀座は任意位置に静止し得るようにし、蓋部材を閉じ蓋部材の前端部を箱本体の前端部に揃えたとき檀座の後端部と蓋部材の後端部とが揃うようにした仏壇。
Ｂ  Ａ項記載の仏壇において、檀座の前端部と箱本体の前端部内側との空間部に三具足、御鈴、鈴台フトン、鈴打ち棒その他の仏具類を収納し得るようにし、あるいは檀座の内側に空間部を設けて三具足等の仏具類を収納可能とし、あるいは箱本体の左右両側部内側もしくは檀座の外側部に設けられた溝部に移動可能に嵌り合う突条部に代えて突部を設けるようにした仏具。
Ｃ  Ａ項もしくはＢ項記載の仏壇において、檀座をその奥行方向の幅の約半分以上前方に移動させたとき前記溝部と突条部との係合が外れ、箱本体から檀座を取り外し得るようにした仏壇。
【０００５】
【発明の実施の形態】
以下本発明の実施例を記載した図面に基づいて、発明の実施の形態を詳細に説明する。図１〜図７は本発明を持ち運び可能な仏壇に適用した実施例を示す。
図１において１０は箱本体であり、箱本体10内には檀座１２が前後方向にスライド可能に配置され、さらに檀座１２の後端部には蓋部材１４が蝶番１６により開閉可能に取り付けられている。箱本体１０は、図２に示すようにそれぞれ所定厚さの前端部１８、後端部２０、左側部２２、右側部２４および底面部２６を有し、左右両側部２２，２４の内側には所定長さの突条部２８が設けられている。なお、後端部２０は箱本体１０の深さの略上半分が存在しない状態をなしている。３０は本実施例の仏壇の移動時に使用する下げ金具であり、３２は箱本体１０に蓋をする際蓋部材１４を固定するために使用する掛止金具である。
【０００６】
檀座１２は、図３に示すように前端部３６、後端部３８、左側部４０、右側部４２および天井部４４を有し、左右両側部４０、４２の外側には後端部３８寄りに所定長さの溝部４６が設けられている。檀座１２は、図４に示すように左右両側部４０、４２が箱本体１０の左右両側部２２、２４の内側に嵌り合うと共に、溝部４６が突条部２８に摺動可能に嵌合し、箱本体１０内で前後方向（図４では紙面垂直方向）にスライド可能とされている。図３において、４８は位牌等を立てるための凹溝である。なお、後端部３８は檀座１２の高さの略下半分が存在しない状態をなしている。
【０００７】
蓋部材１４は、図５に示すように檀座１２に蝶番１６を介して開閉可能に取付けられ、檀座１２と一緒に箱本体１０内を前後に移動し得るようにされている。蓋部材１４は一定の深さを有し、御本尊を表した掛け軸等を吊り下げできるようにされている。また、蓋部材１４は凹溝５０を有する横材５２が設けられ、故人の写真等を立てて祀ることができるようにされている。５４は掛止金具３２を掛けるための引掛け金具である。なお、蝶番１６は蓋部材１４と檀座１２の後端部を一定深さに座ぐりして取り付けられ、蝶番が後端部の外面から飛び出さないようにされている。仏壇を立てて置いたとき、ぐらぐらして不安定にならないようにするためである。
【０００８】
以上のように構成された実施例の仏壇は、使用しないときには、図１（ロ）に示すように蓋部材１４の前後両端面がそれぞれ箱本体１０の前後両端面と揃った状態におかれ、箱本体１０は蓋をされた状態をなしているが、蓋部材１４に矢印Ｐ方向の力を加えると図１（ハ）に示すように蓋部材１４は檀座１２と一緒に移動する。
（なお、本実施例の不使用時には、箱本体１０の前端部内側と檀座１２の前端部との空間部に仏具等を収納することがあるが、その場合には仏具等を取り除いてから蓋部材１４、檀座１２を移動させる。）所定距離移動した後、蓋部材１４を矢印Ｑ方向に引き起こすと、図１（ニ）に示すように直立しその状態が保持される。すなわち、直立状態において蓋部材１４の後端部が箱本体１０の左右両側部２２、２４の上面部に当接し安定するからである。このような状態で檀座１２上に三具足等を載置し、蓋部材１４に御本尊等の掛け軸等を吊り下げれば仏壇として祀ることが可能となる。なお、檀座１２を一定距離以上前方に押し進めると突条部２８と溝部４６との係合が外れ、檀座１２は上方に取り出し可能となる。組付けはこの逆の順序で行われる。
【０００９】
図６は、仏壇を祀った一例を示すものであり、蓋部材１４には御本尊の掛け軸５８を吊り下げ、檀座１２上には香炉６０、花立て６２、灯立て６４等の三具足を載置すると共に、檀座１２前方の箱本体１０内の空間部には、御鈴６６を置いている。御鈴６６の台座には鈴台フトンが置かれているが図示されていない。また、御鈴６６の付近には鈴打ち棒が置かれているが、これも図示されていない。なお、掛け軸５８は下方を止めるようにし、蓋部材１４を倒して箱本体１０の蓋をする場合にも取り外されなくてもよいようにされている。
【００１０】
祀っていた仏壇を閉じる場合には、檀座１２上の仏具等を取り除き蓋部材１４を少し倒した状態にして箱本体１０の後端部まで移動させると、檀座１２も一緒に移動するので、これ以上移動できない端部位置（移動終局端）に達したとき蓋部材１４を閉じ箱本体１０の蓋をすればよい。もっとも、蓋部材１４を横に倒した状態で移動することも可能である。なお、箱本体１０と檀座１２の後端部２０、３８はそれぞれ上半分と下半分がないので、移動終局端で互いに干渉することがなく移動に支障をきたすことがない。長期間使用しない場合や持ち運びする場合には、掛止金具３２を引掛金具５４に引掛ければよい。
【００１１】
図７は実施例の仏壇の不使用時にこれらの仏具類を収納した状態の一例を示す。檀座１２が箱本体１０の後端部側に最も引っ込んだ状態時の箱本体１０内の空間部に仏具等収納枠６８を出し入れ自在に嵌め入れ、その中に前記香炉６０、花立て６２、灯立て６４、御鈴６６、鈴打ち棒６７、鈴台フトン等の仏具類を収納するようにしたものである。仏具等の収納がコンパクトに行われ、出し入れが容易であるという利点がある。
【００１２】
前記実施例では、箱本体１０の内側に突条部２８を設け、檀座１２の外側にはこれと摺動可能に嵌合する溝部４６を設けているが、逆に箱本体に溝部を、檀座に突条部を設け摺動可能に嵌合させることも可能である。また、突条部の代わりに突部を設けてもよい。また、箱本体、檀座および蓋部材は木、合成樹脂、金属等種々の材質のもので構成することができる。蓋部材１４の内側には、仏像等を配置してもよく、また仏壇にふさわしい種々の彫刻や装飾を施してもよい。
以上本発明のいくつかの実施例について説明したが、本発明はこのような実施例に何等限定されるものではなく、本発明の要旨を逸脱しない範囲内で自由に実施例し得ることはもちろんである。
【００１３】
【発明の効果】
本発明は上述のように構成されているので、次に記載する効果を奏する。
本発明によれば、使用するときには蓋部材を少し前方に動かし、蓋部材を起こして直立させれば蓋部材内側に配置した御本尊の掛け軸等の礼拝対象が現れ、檀座上に三具足等の仏具を載置すれば仏壇を祀ることができ、使用しないときには蓋部材を閉じ、その前端部、後端部をそれぞれ箱本体の前端部、後端部に揃えるようにして蓋をすればよいので、使用が非常に容易であるという利点がある。
また、本発明の仏壇は、箱本体内に檀座を移動可能に配置すると共に、檀座に蝶番を介して蓋部材を開閉可能に取付け、かつ箱本体内側と檀座の外側には互いに摺動可能に嵌合する溝部と突条部（または突部）を設けて檀座がスライド可能に構成されたものであり、構造が非常に簡単であるという利点がある。
さらに、使用しないときには檀座の前端部と箱本体の前端部内側との空間部に三具足、御鈴、鈴台フトン、鈴打ち棒等の仏具類を収納にすれば、これらが散乱することなく整理できて便利であるという利点がある。
【図面の簡単な説明】
【図１】（イ）は本発明の一実施例を示す斜視図、（ロ）〜（ニ）は同実施例図の使用状態を示す説明図である。
【図２】同実施例に使用する一部品を示す斜視図である。
【図３】同実施例に使用する他の部品を示す斜視図である。
【図４】同実施例の後端部側の一部を破断した部分説明図である。
【図５】図３に示す部品に取付けられた他の部品の斜視図である。
【図６】同実施例の使用状態の一例を示す斜視図である。
【図７】同実施例に適用し得る仏具等収納枠の取付状態を示す部分説明図である。
【符号の説明】
１０  箱本体
１２  檀座
１４  蓋部材
１６  蝶番
２８  突条部
４６  溝部
６８  仏具等収納枠
【図１】
0003832838.tif 000002
【図２】
0003832838.tif 000003
【図３】
0003832838.tif 000004
【図４】
0003832838.tif 000005
【図５】
0003832838.tif 000006
【図６】
0003832838.tif 000007
【図７】
0003832838.tif 000008